(57)【要約】      （修正有）【課題】少ない力で把持し利用することが可能な桶を提供する。【解決手段】上部開口部の周縁部の一部から水平方向そして鉛直方向下向きの順にＬ字状形状に湾曲する所定幅の手背係止部０１２０を有する桶。【選択図】図１
2017217346.tif 000002
【特許請求の範囲】
【請求項１】
上部開口部の周縁部の一部から水平方向そして鉛直方向下向きの順にＬ字状形状に湾曲する所定幅の手背係止部を有する桶。
【請求項２】
手背係止部の水平方向の長さが２センチメートル以上６センチメートル以下であることを特徴とする請求項１の桶。
【請求項３】
手背係止部の鉛直方向下向きの長さが４センチメートル以上１０センチメートル以下であることを特徴とする請求項１又は２に記載の桶。
【請求項４】
手背係止部のうち水平方向に伸びた部分は、なだらかな凹状形状であることを特徴とする請求項１から３のいずれか一に記載の桶。
【請求項５】
内壁の一部に最上方から下方にかけ桶内側に向けて凸状にて構成される滑出溝を有する請求項１から４のいずれか一に記載の桶。
【請求項６】
滑出溝の幅長は壁面内周の六分の一以下である請求項５に記載の桶。
【請求項７】
滑出溝の凸状形状は下方から最上方にかけなだらかになるよう構成される請求項５又は６に記載の桶。
【発明の詳細な説明】
【技術分野】
【０００１】
本発明は、少ない力で把持し利用することが可能な桶に関する。
【背景技術】
【０００２】
風呂や洗面所、流し台、井戸など水回りで用いられる桶は、大量の水を運ぶ際にその重量が大きくなることがあり、利用の際に大きな力が必要となる。子どもや老人、女性、手が不自由などの理由で握力が弱い人にとっては、こういった重たい水を持ち運ぶことが困難で、これを無理に持とうとして怪我をする場合もある。
【０００３】
このような課題に対しては、従来から、桶に柄を設けることで少ない力で桶を持ち、移動させることが考えられてきた。具体的には、特許文献１に記載のある水平方向の柄や、特許文献２に記載のある把持するためのＬ字形状である柄を桶に付属させることが行われている。
【先行技術文献】
【特許文献】
【０００４】
【特許文献１】特開２００５−２７８９８４公報
【特許文献２】特開２０００−３３３８６５公報
【発明の概要】
【発明が解決しようとする課題】
【０００５】
ただし、従来技術のように柄を把持することで桶を持ちやすくする構成を採用する場合、桶に水が張られその重量が増した状態で柄を把持した場合、桶本体と柄の接合部分に大きな荷重が加わる。そして荷重をかけ続けることにより、わずかな時間で上記接合部分が折れてしまうことがあった。
【課題を解決するための手段】
【０００６】
以上のような事態を回避すべく、本発明は、桶を掌で支えるとともに、その手の甲（手背）をも支える構成からなる桶などを提案する。
【発明の効果】
【０００７】
主に以上のような構成をとる本発明によって、柄が折れる心配などをせず、強い握力を必要とすることなく、繰り返し使用したり大きな荷重の桶を持ったりすることが可能になる。
【図面の簡単な説明】
【０００８】
【図１】実施形態１の桶の一例を説明するための平面図
【図２】実施形態１の桶の一例を説明するための斜視図
【図３】実施形態１の桶を実際に手で把持した様子を示す図
【図４】実施形態２の桶を倒した状態を説明するための斜視図
【発明を実施するための形態】
【０００９】
以下、本発明の各実施形態について図面と共に説明する。実施形態と請求項の相互の関係は、以下のとおりである。まず、実施形態１は、主に請求項１、２、３、４などに対応する。実施形態２は、主に請求項５、６、７などに対応する。なお、本発明はこれらの実施形態に何ら限定されるものではなく、技術常識に従って特許請求の範囲の各請求項に記載の技術的思想を有し、その要旨を逸脱しない範囲内において、様々な態様で実施し得る。
【００１０】
＜＜実施形態１＞＞
＜概要＞
【００１１】
図１及び図２は、本実施形態の桶の基本的な構成を示す図であり、把持する際に手の甲（手背）を係止するための「手背係止部」０１２０、０２２０を有する桶を示している。特に図１は桶の平面図であり、図２は桶の斜視図である。
【００１２】
なおここでいう「桶」０１００、０２００とは円筒状形状の容器のことを指しており、その利用形態につき特に限定を付す意図はない。そのため上記では風呂や洗面所、流し台、井戸など水回りにおいて水を入れる場合について説明したが、それ以外にも例えば、汁物料理や飲料、ペンキ等の塗料その他の液体あるいはゼリーのような固形物であってもよく、その用途は特には問わないが、少ない力で大きな容量物を運ぶことができる桶の特性上、内容物の比重が大きければ大きいほど好適な効果を発揮する。
【００１３】
＜構成＞
【００１４】
図１及び図２を参照しながら本実施形態の桶の説明を行う。本実施形態の「桶」０１００、０２００は、「桶本体」０１１０、０２１０と「手背係止部」０１２０、０２２０とからなる。桶本体の開口部の一部に外部へ水を抽出するための「抽出口」０１２１を設けることで桶の中身を好適に外部に注出することができるが、必須の構成ではない。
【００１５】
桶本体の大きさは、中に何を入れるかなどその用途に応じて適宜決められてよいが、人が水を汲むために用いる場合は、１リットルから２リットルを容量とする大きさにするとよい。具体的な形状についていうと、略円柱状形状あるいは略台形形状その他一般の桶の形状と異なる必要はない。素材はＦＲＰ、ＰＥ、ＰＰなどのプラスティック素材を用いることで軽量かつ丈夫な桶とすることが出来るが、木製であっても構わない。
【００１６】
手背係止部は、桶本体の上部開口部の周縁部の一部から水平方向そして鉛直方向下向きの順にＬ字状形状に湾曲するように構成されている。桶本体の上部開口部とは底面ではない開口部分のことを指しており、その周縁部のうち所定の位置に「手背係止部」０１２０、０２２０が配置されている。手背係止部の水平方向部分の長さは掌の厚みよりも長いことが望ましく、具体的には２センチメートル以上６センチメートル以下の範囲で定められることが好適である。この範囲内の長さとすることにより、後述するように桶本体と手背係止部との間に手を密着して挟み込むことができ、少ない力で桶全体を支えることが可能になる。
【００１７】
なお、手背係止部の水平方向部分０１２１がなだらかな凹状形状を構成している場合には、当該形状を構成する部分に手の親指をひっかけることができる。このようにして親指をひっかけることで手背係止部の水平方向部分の上下を手で支えることができ、安定して桶を持つことができる。
【００１８】
また、手背係止部の鉛直下向き部分の長さは手指の人差し指から小指までの長さと略同一であることが望ましい。具体的には長さを４センチメートル以上１０センチメートル以下とすることが考えられ、この範囲の長さとすることにより、手背係止部にて手の甲部分全体を支えることが出来るようになる。
【００１９】
なおここで図３を示す。同図は、本実施形態の桶を実際に手で把持した様子を示す図である。同図において示されているように、本実施形態の桶の手背係止部の水平方向部分はなだらかな凹状形状を構成しているため、桶を持つ手の親指の腹を当該部分に乗せることが可能である。そのような形状を採用することで、親指にて加えた力を桶本体と手背係止部との接合部分付近に伝えやすくなり、握力に不安がある子供や老人、女性などであってもしっかりと桶を把持することができるようになる。
【００２０】
また、同図の手背係止部の鉛直方向下向き部分０１２２と桶本体との間には、掌の厚みと略同一の間隔空間が設けられており、この間隔空間に手を挟み込むことで桶本体と手背係止部の双方と密着させ、掌と手の甲との両面で桶を安定して支えることが可能になる。
【００２１】
＜効果＞
【００２２】
以上の構成を採用する桶を利用することにより、桶を少なくとも掌と手の甲との２面で保持することができるようになるため、握力を必要とすることなく重い水などが入った桶を持つことが可能になる。
【００２３】
＜＜実施形態２＞＞
＜概要＞
【００２４】
本実施形態の桶は、基本的には実施形態１記載の桶と同様であるが、内壁の一部に最上方から下方にかけ桶内部に向けて凸状にて構成される滑出溝を有する点が更なる特徴である。以下では、実施形態１とは異なる上記特徴について詳しく説明する。
【００２５】
＜構成＞
【００２６】
図４は、本実施形態の桶を倒した状態を説明するための斜視図であり、手背係止部の対向する内壁の一部に最上方から下方にかけ桶内部に向けて凸状にて構成される「滑出溝」０４１１を有している。「最上方から下方にかけ」とは、桶の内壁の高さ方向に向けて溝が形成されている様子を示したものであり、その溝が内壁の最上方、すなわち開口部にまで達している状態を示している。
【００２７】
「桶内部に向けて凸状にて構成される」とは、上記桶の内壁のうち一部が内側に凹んでいる形状であることを意味している。凸状形状は、滑出溝が形成されている高さ方向の全てにおいて均一の形状であってもよいし、開口部あるいは底面に向かうにつれて厚みが増すような形状であってもよい。これらの構成を採用することによって、図４のように桶を下方向に傾けたような場合、中に入っている水や飲料、液体が滑出溝をたどり外部に向けて排出されやすくなる。
【００２８】
以上のように滑出溝を設ける構成は、図４に示したように手背係止部が相対的に上側に位置するような向きで配された場合に最も所与の効果をもたらすことができる。そしてここで述べたような向きで桶を配する場合の一例として、手背係止部を所定の保管棚などにひっかけて保管するような場合が考えられる。このような構成を採用すれば、桶を保管する場合に、桶内部に水などがたまり腐敗したりかびを生じさせたりする事態を回避することが容易になる。
【００２９】
＜効果＞
主に以上のような構成をとる本発明によって、実施形態１の桶のもつ効果に加え、桶内部の清潔さを維持し、長持ちさせることが可能になる。
【符号の説明】
【００３０】
０１００・・・桶、０１１０・・・桶本体、０１２０・・・手背係止部、０１２１・・・手背係止部の水平方向部分、０１２２・・・手背係止部の鉛直方向下向き部分
【図１】
2017217346.tif 000003
【図２】
2017217346.tif 000004
【図３】
2017217346.tif 000005
【図４】
2017217346.tif 000006